(57)【特許請求の範囲】
【請求項１】
複数の第１の操作キーと、当該複数の第１の操作キーに応じた制御設定情報の下位階層に属する制御設定情報を選択設定する複数の第２の操作キーと、上記第１及び又は上記第２の操作キーに応じた制御設定情報を表示する表示手段とが操作パネル上に配され、上記第１の操作キーの操作及び続く上記第２の操作キーの操作により所定の電子機器の制御設定を切り換える操作制御装置において、
上記操作パネルに複数の第３の操作キーが配され、上記第２の操作キーが押圧状態にされたまま上記複数の第３の操作キーのうち指定された第３の操作キーが押圧操作されることにより、上記第２の操作キーに応じた制御設定情報を上記複数の第３の操作キーのうち指定された第３のキーに割り当てて登録すると共に、当該登録した制御設定情報を当該指定された第３の操作キーの操作に基づいて実行し、又は上記表示手段に表示する
ことを特徴とする操作制御装置。
【請求項２】
上記複数の第３の操作キーのうちから指定された操作キーには、上記複数の第２の操作キーが押圧状態にされたまま上記複数の第３の操作キーのうち指定された第３の操作キーが押圧操作されることにより、上記第２の操作キーに応じた複数の制御設定情報が割り当てられてなる
ことを特徴とする請求項１に記載の操作制御装置。
【請求項３】
上記複数の第３の操作キーのうちから指定された操作キーには、順次上記第２の操作キーが押圧状態にされたまま上記第３の操作キーのうち指定された第３の操作キーが押圧操作されることにより、上記第２の操作キーに応じて順次設定された制御設定情報が割り当てられてなる
ことを特徴とする請求項１に記載の操作制御装置。
【発明の詳細な説明】
【０００１】
【目次】
以下の順序で本発明を説明する。
産業上の利用分野
従来の技術
発明が解決しようとする課題
課題を解決するための手段（図１〜図７）
作用（図１〜図７）
実施例
（１）スイツチヤコントロールパネルの構成（図１〜図４）
（２）実施例のスイツチヤコントロールパネル（図１〜図７）
（３）他の実施例
発明の効果
【０００２】
【産業上の利用分野】
本発明は操作制御装置に関し、例えば階層化されたメニユー群から所望のメニユーを選択設定する場合に適用して好適なものである。
【０００３】
【従来の技術】
従来、テレビジヨン番組を制作する際に用いられるスイツチヤは、多機能化に伴つて多数のモードを実現し得ることから、オペレータは当該多数のモードの中から所望のモードを順次必要に応じて指定して行く必要があり、このため操作が煩雑となる。従つてこの種のスイツチヤには、操作パネルとして例えばメニユー表示画面を有する表示装置が搭載されており、この表示装置を用いることにより操作を簡便にできるようになされている。
【０００４】
すなわちこの表示装置には、所定の機能がそれぞれ機能毎にメニユーとして割り当てられ、さらに当該メニユーの１つ１つに下位の機能がそれぞれ機能毎にメニユーとして割り当てられてなる階層化されたメニユー群（以下これを、メニユーツリーと呼ぶ）が設けられており、オペレータはメニユーツリーに従つて選択的に順次操作キーを押すことにより、所望の機能に応じたメニユーをメニユー表示画面上に設定表示するようになされている。
【０００５】
【発明が解決しようとする課題】
ところで、このようにメニユーツリーに従つてメニユーを選択設定するにあたつて、オペレータは所望のメニユーを選択設定するのに操作キーを数回押さなければならず、所望のメニユーが使用頻度が高い場合には、操作が煩雑となると共に時間がかかるのを避け得ないという問題があつた。
【０００６】
本発明は以上の点を考慮してなされたもので、オペレータが誤認することなく確実に操作し得ると共に、入力操作に要する時間を格段と短縮し得る操作制御装置を提案しようとするものである。
【０００７】
【課題を解決するための手段】
かかる課題を解決するため本発明においては、複数の第１の操作キーと、当該複数の第１の操作キーに応じた制御設定情報の下位階層に属する制御設定情報を選択設定する複数の第２の操作キーと、第１及び又は第２の操作キーに応じた制御設定情報を表示する表示手段とが操作パネル上に配され、第１の操作キーの操作及び続く第２の操作キーの操作により所定の電子機器の制御設定を切り換える操作制御装置において、操作パネルに複数の第３の操作キーが配され、第２の操作キーが押圧状態にされたまま複数の第３の操作キーのうち指定された第３の操作キーが押圧操作されることにより、第２の操作キーに応じた制御設定情報を複数の第３の操作キーのうち指定された第３のキーに割り当てて登録すると共に、当該登録した制御設定情報を当該指定された第３の操作キーの操作に基づいて実行し、又は表示手段に表示するようにした。
【０００８】
【作用】
第１の操作キー２Ａの操作及び続く第２の操作キー３Ｂ、３Ｃの操作により所定の電子機器の制御設定を切り換える際、第２の操作キー３Ｂ、３Ｃが押圧状態にされたまま複数の第３の操作キー４Ａのうち指定された第３の操作キーが押圧操作されることにより、第２の操作キー３Ｂ、３Ｃに応じた制御設定情報を複数の第３の操作キー４Ａのうち指定された第３の操作キーに割り当てて登録すると共に、当該登録した制御設定情報を当該指定された第３の操作キーの操作に基づいて実行し、又は表示手段３Ａに表示するようにしたことにより、オペレータは第３の操作キーのみを操作するだけで所望の制御設定情報の実行又は表示をさせることができる。
【０００９】
【実施例】
以下図面について、本発明の一実施例を詳述する。
【００１０】
（１）スイツチヤコントロールパネルの構成
図１は編集機能を有するスイツチヤコントロールパネル１を示し、当該スイツチヤコントロールパネル１から送出されたコマンド信号によつてスイツチヤの内部状態を変更し得るようになされている。
【００１１】
スイツチヤコントロールパネル１は、トツプメニユーブロツク２、メニユー操作ブロツク３、及びシヨツトボツクスブロツク４を有し、トツプメニユーブロツク２において選択された所定の機能がメニユー操作ブロツク３において画面表示されると共に、当該選択された所定の機能よりも下位の機能が階層的に選択され得る。さらに当該選択された下位の機能はシヨツトボツクスブロツク４においてオペレータの操作によつて登録又は実行され得る。
【００１２】
トツプメニユーブロツク２はイネーブル等の所定の機能がそれぞれ機能毎に割り当てられたメニユーを選択設定するためのトツプメニユーキー２Ａでなる。オペレータは当該トツプメニユーキー２Ａのうち所望の機能に応じたメニユーを選択して操作すると、当該選択したメニユーがメニユー操作ブロツク３において画面表示される。
【００１３】
メニユー操作ブロツク３は図２に示すようにメニユー表示画面３Ａ、第１のメニユー選択設定スイツチ３Ｂ及び第２のメニユー選択設定スイツチ３Ｃから構成され、トツプメニユーキー２Ａで選択されたメニユーで表される所定の機能よりも下位の機能を、オペレータが第１のメニユー選択設定スイツチ３Ｂ及び続く第２のメニユー選択設定スイツチ３Ｃを階層的に操作することによりメニユー表示画面３Ａ上に設定表示するようになされている。この場合第１のメニユー選択設定スイツチ３Ｂは押圧式のフアンクシヨンキーＫ１〜Ｋ５でなり、また第２のメニユー選択設定スイツチ３Ｃは押圧式のフアンクシヨンキーＫ６〜Ｋ１５でなる。
【００１４】
ここで例えば図３に示すメニユーツリーにおいて、オペレータがトツプメニユーブロツク２におけるトツプメニユーキー２Ａのうち「ＥＮＢＬ」を示すトツプメニユーキーを選択して操作した場合、第１のメニユー選択設定スイツチ３ＢのフアンクシヨンキーＫ１〜Ｋ３には当該「ＥＮＢＬ」で表される機能よりも下位の機能に対応するメニユーがそれぞれに割り当てられ、これがメニユーＡとしてメニユー表示画面３Ａに表示される。すなわちメニユーＡにおいて、第１のメニユー選択設定スイツチ３ＢのフアンクシヨンキーＫ１は「ＥＮＡＢＬＥ」を示し、外部機器から制御し得る状態にする操作キーとなり、またフアンクシヨンキーＫ２は「ＳＡＦＥ  ＴＩＴＬＥ」を示し、モニタに映像効果としての所定の枠を設定し得る状態にする操作キーとなり、さらにフアンクシヨンキーＫ３は「ＧＰＩ（General Purpose Interface ）」を示し、ＧＰＩポートの入出力状態を検査し得る状態にする操作キーとなる。
【００１５】
この場合第１のメニユー選択設定スイツチ３Ｂにおいて、オペレータがフアンクシヨンキーＫ１を選択して押圧操作した場合には、当該「ＥＮＡＢＬＥ」で表される機能よりも下位の機能に対応するメニユーがそれぞれに割り当てられ、これがメニユーＢとしてメニユー表示画面３Ａに表示される。すなわちメニユーＢにおいて、第２のメニユー選択設定スイツチ３ＣのフアンクシヨンキーＫ６は「ＥＤＩＴＯＲ」を示し、エデイタから制御し得る状態にするための操作キーとなり、またフアンクシヨンキーＫ７は「ＧＰＩ」を示し、ＧＰＩポートから制御し得る状態にするための操作キーとなり、さらにフアンクシヨンキーＫ８又はＫ９は「ＤＭＥ（Digital Mix and Effects ）１」又は「ＤＭＥ２」を示し、第１のＤＭＥ又は第２のＤＭＥでなる外部機器から制御し得る状態にするための操作キーとなる。
【００１６】
また第１のメニユー選択設定スイツチ３Ｂにおいて、オペレータがフアンクシヨンキーＫ２を選択して押圧操作した場合には、当該「ＳＡＦＥ  ＴＩＴＬＥ」で表される機能よりも下位の機能に対応するメニユーがそれぞれに割り当てられ、これがメニユーＣとしてメニユー表示画面３Ａに表示される。すなわちメニユーＣにおいて、第２のメニユー選択設定スイツチ３ＣのフアンクシヨンキーＫ６は「ＰＧＭ」を示し、最終映像の出力すなわちプログラム出力に所定の枠を設定し得る状態にするための操作キーとなり、フアンクシヨンキーＫ７は「ＥＤＩＴＰＶＷ」を示し、エデイツトプレビユー出力に所定の枠を設定し得る状態にするための操作キーとなる。
【００１７】
さらに第１のメニユー選択設定スイツチ３Ｂにおいて、オペレータがフアンクシヨンキーＫ３を選択して押圧操作した場合には、当該「ＧＰＩ」で表される機能よりも下位の機能に対応するメニユーがそれぞれに割り当てられ、これがメニユーＤとしてメニユー表示画面３Ａに表示される。すなわちメニユーＤにおいて、第２のメニユー選択設定スイツチ３ＣのフアンクシヨンキーＫ６は「ＧＰＩＩＮＰＵＴ  ＴＥＳＴ」を示し、ＧＰＩポートの入力状態を検査し得る状態にするための操作キーとなり、またフアンクシヨンキーＫ７は「ＧＰＩ  ＯＵＴＰＵＴ」を示し、ＧＰＩポートの出力状態を検査し得る状態にするための操作キーとなる。
【００１８】
次に図４に示すように、シヨツトボツクスブロツク４はユーテイリテイスイツチ４Ａを有し、当該ユーテイリテイスイツチ４Ａは押圧式のプログラマブルキーＫ１６〜Ｋ２５でなる。
【００１９】
まずオペレータはトツプメニユーブロツク２のトツプメニユーキー２Ａのうち登録モードを示す「セツトアツプ」に対応するトツプメニユーキーを選択して操作すると、登録メニユーがメニユー表示画面３Ａ上に表示される。この状態において、オペレータは第１のメニユー選択設定スイツチ３Ｂのうちメニユーを登録するための「セツトメニユー」に対応するフアンクシヨンキーを選択して操作すると、ユーテイリテイスイツチ４ＡのプログラマブルキーＫ１６〜Ｋ２５が全て点滅状態すなわち登録し得る状態となる。
【００２０】
このときオペレータはトツプメニユーキー２Ａで選択したメニユーで表される所定の機能よりも下位の機能を、第１のメニユー選択設定スイツチ３Ｂ及び続く第２のメニユー選択設定スイツチ３Ｃを階層的に操作することによりメニユー表示画面３Ａ上に設定表示するようにしておく。その後、オペレータはプログラマブルキーＫ１６〜Ｋ２５のうち指定したプログラマブルキーを押圧操作することにより、メニユー操作ブロツク３において選択された下位の機能を表わすメニユーが当該指定したプログラマブルキーに登録され得る。
【００２１】
まずオペレータはトツプメニユーブロツク２のトツプメニユーキー２Ａのうち登録モードを示す「セツトメニユー」に対応するトツプメニユーキーを選択して操作すると、登録メニユーがメニユー表示画面３Ａ上に表示される。この状態において、オペレータは第１のメニユー選択設定スイツチ３Ｂのうち機能の実行を登録するための「セツトコマンド」に対応するフアンクシヨンキーを選択して操作すると、ユーテイリテイスイツチ４ＡのプログラマブルキーＫ１６〜Ｋ２５が全て点滅状態すなわち登録し得る状態となる。
【００２２】
このときオペレータはトツプメニユーキー２Ａで選択したメニユーで表される所定の機能よりも下位の機能を、第１のメニユー選択設定スイツチ３Ｂ及び続く第２のメニユー選択設定スイツチ３Ｃを階層的に操作することによりメニユー表示画面３Ａ上に設定表示するようにしておく。その後、オペレータは第２のメニユー選択設定スイツチ３ＣのフアンクシヨンキーＫ６〜Ｋ１５のうちメニユー表示画面３Ａ上に設定表示されている下位の機能に対応するフアンクシヨンキーを押圧状態にしたままプログラマブルキーＫ１６〜Ｋ２５のうち指定したプログラマブルキーを押圧操作することにより、メニユー操作ブロツク３において選択された下位の機能が当該指定したプログラマブルキーに登録され得る。
【００２３】
またオペレータはユーテイリテイスイツチ４ＡのプログラマブルキーＫ１６〜Ｋ２５のうち指定したプログラマブルキーを押圧操作することにより、当該指定したプログラマブルキーに登録されている機能を実行し、又は当該指定したプログラマブルキーに登録されている機能を表わすメニユーをメニユー表示画面３Ａ上に表示するようになされている。
【００２４】
（２）実施例のスイツチヤコントロールパネル
ここで図５において、制御コマンドをスイツチヤに送出するスイツチヤコントロールパネル１の内部に用いられているマイクロコンピユータシステムを示す。スイツチヤコントロールパネル１においてキーボード２、３Ｂ、３Ｃ、４からＩ／Ｏポート１０を介してＣＰＵ（中央処理ユニツト）１１にコマンド信号が送出される。
【００２５】
ＣＰＵ１１はＲＯＭ（Read Only Memory）１２からのメモリデータを読み出してバス１３を介してＲＡＭ（Random Access Memory）１４に格納すると共に、キーボード２、３Ｂ、３Ｃ、４から送出されたユーテイリテイスイツチ４ＡのプログラマブルキーＫ１６〜Ｋ２５のそれぞれに対応して登録された所定の機能でなるデータを不揮発性メモリ１５に格納する。
【００２６】
またＣＰＵ１１はＲＡＭ１４及び不揮発性メモリ１５に格納されているデータを読み出してメニユー表示画面３Ａに出力することにより、ＲＡＭ１４及び不揮発性メモリ１５からのデータをメニユー表示画面３Ａ上に表示するようになされている。
【００２７】
このようにスイツチヤコントロールパネル１においてキーボード２、３Ｂ、３Ｃ、４で押圧操作されると、ＣＰＵ１１は不揮発性メモリ１５に格納されているデータを読み出し、ユーテイリテイスイツチ４ＡのプログラマブルキーＫ１６〜Ｋ２５のそれぞれに対応して登録された所定の機能を実行し、又は当該所定の機能を表わすメニユーをメニユー表示画面３Ａ上に表示するようになされている。因に不揮発性メモリ１５としては、ＥＥＰＲＯＭ、ＦＬＡＳＨ  ＭＥＭＯＲＹ、バツテリーバツクアツプされたＲＡＭ等が用いられる。
【００２８】
次に、ＣＰＵ１１は図６に示す処理手順を実行することにより、オペレータによつて選択された所定の機能を登録することができる。
まずトツプメニユーブロツク２において選択された所定の機能がメニユー表示画面３Ａ上に設定表示され、または当該選択された所定の機能よりも下位の機能がメニユー操作ブロツク３において階層的に選択されると、ＣＰＵ１１はステツプＳＰ１から当該処理手順に入る。
【００２９】
ＣＰＵ１１はステツプＳＰ２において、トツプメニユーキー２Ａのうち登録モードとしての「セツトアツプ」に対応するトツプメニユーキーが選択操作されると共に、続く第１のメニユー選択設定スイツチ３Ｂのうち「セツトメニユー」又は「セツトコマンド」に対応するトツプメニユーキーが操作されたか否か、すなわちユーテイリテイスイツチ４ＡのプログラマブルキーＫ１６〜Ｋ２５が全て点滅状態であるか否かを判断する。
【００３０】
このステツプＳＰ２において肯定結果が得られたときには、ＣＰＵ１１はステツプＳＰ３に移つてプログラマブルキーＫ１６〜Ｋ２５のうちオペレータによつて指定され押圧操作されたプログラマブルキーに対応する所定の機能をデータ入力した後、ステツプＳＰ４に移つて当該入力されたプログラマブルキーに対応する所定の機能のデータを解析する。これに対してステツプＳＰ２において否定結果が得られるとＣＰＵ１１は再度ステツプＳＰ２に移る。
【００３１】
このステツプＳＰ４においてＣＰＵ１１は当該入力されたプログラマブルキーに対応する所定の機能のデータを解析した後、そのままステツプＳＰ５に移つて当該所定の機能のデータを不揮発性メモリ１５に書き込み、ステツプＳＰ６に移つて当該処理手順を終了する。
【００３２】
一方、ＣＰＵ１１は図７に示す処理手順を実行することにより、プログラマブルキーＫ１６〜Ｋ２５のうちオペレータが指定したプログラマブルキーに登録されている機能を実行し、又は当該指定したプログラマブルキーに登録されている機能を表わすメニユーをメニユー表示画面３Ａ上に表示することができる。
【００３３】
ＣＰＵ１１はステツプＳＰ１０から当該処理手順に入り、ステツプＳＰ１１において、プログラマブルキーＫ１６〜Ｋ２５のうちオペレータによつて指定されたプログラマブルキーが押圧操作されたか否かを判断する。このステツプＳＰ１１において肯定結果が得られたときには、ＣＰＵ１１はステツプＳＰ１２に移つて不揮発性メモリ１５に格納されているデータのうち当該指定されたプログラマブルキーに対応して登録された所定の機能のデータを読み出した後、ステツプＳＰ１３に移つて当該読み出した所定の機能のデータを解析する。これに対してステツプＳＰ１１において否定結果が得られるとＣＰＵ１１は再度ステツプＳＰ１１に移る。
【００３４】
このステツプＳＰ１３においてＣＰＵ１１は当該読み出した所定の機能のデータを解析した後、そのままステツプＳＰ１４に移つて当該所定の機能を実行し、又は当該所定の機能を表わすメニユーをメニユー表示画面３Ａ上に表示し、ステツプＳＰ１５に移つて当該処理手順を終了する。
【００３５】
以上の構成において、オペレータはトツプメニユーキー２Ａのうち所望の機能に応じたメニユーを選択して押圧操作すると共に、続くメニユー操作ブロツク３において当該選択された機能よりも下位の機能を階層的に選択し、または当該下位の機能を表わすメニユーをメニユー表示画面３Ａ上に設定表示する。この状態において、オペレータは予め登録し得る状態にあるユーテイリテイスイツチ４ＡのプログラマブルキーＫ１６〜Ｋ２５のうち指定したプログラマブルキーを押圧操作することにより、メニユー操作ブロツク３において選択された下位の機能又はメニユー表示画面３Ａ上に設定表示されたメニユーが、当該指定したプログラマブルキーに割り当てられて登録される。
【００３６】
その後オペレータはユーテイリテイスイツチ４ＡのプログラマブルキーＫ１６〜Ｋ２５のうち指定したプログラマブルキーのみを押圧操作することにより、当該指定したプログラマブルキーに割り当てられて登録されている下位の機能を実行し、または当該下位の機能を表わすメニユーをメニユー表示画面３Ａ上に設定表示することができる。
【００３７】
以上の構成によれば、トツプメニユーキー２Ａにおいて選択された機能よりも下位の機能をメニユー操作ブロツク３において階層的に選択しておき、または当該下位の機能を表わすメニユーをメニユー表示画面３Ａ上に設定表示しておく。この状態において、オペレータは当該メニユー操作ブロツク３において選択された下位の機能又はメニユー表示画面３Ａ上に設定表示されたメニユーをユーテイリテイスイツチ４ＡのプログラマブルキーＫ１６〜Ｋ２５のうち指定したプログラマブルキーに割り当てて登録する。
【００３８】
これによりオペレータはユーテイリテイスイツチ４ＡのプログラマブルキーＫ１６〜Ｋ２５のみを押圧操作することにより、所望の機能よりも下位の機能を実行し、又は当該下位の機能を表わすメニユーをメニユー表示画面３Ａ上に設定表示することができ、かくしてオペレータが誤認することなく確実に操作し得ると共に、入力操作に要する時間を格段と短縮し得る。
【００３９】
（３）他の実施例
なお上述の実施例においては、メニユー操作ブロツク３において階層的に選択した下位の機能をユーテイリテイスイツチ４ＡのプログラマブルキーＫ１６〜Ｋ２５のうち指定したプログラマブルキーに割り当てて登録する場合について述べたが、本発明はこれに限らず、メニユー操作ブロツク３における下位の機能を複数選択して、当該選択された複数の下位の機能をオペレータの指定したプログラマブルキーに割り当てて登録するようにしても良い。この場合オペレータは登録したプログラマブルキーを押圧操作することにより、当該選択した複数の下位の機能を同時に実行することができるようにする。
【００４０】
また上述の実施例においては、メニユー操作ブロツク３において階層的に選択した下位の機能をユーテイリテイスイツチ４ＡのプログラマブルキーＫ１６〜Ｋ２５のうち指定したプログラマブルキーに割り当てて登録する場合について述べたが、本発明はこれに限らず、メニユー操作ブロツク３における下位の機能を順次選択して、当該順次選択された複数の下位の機能を一連の操作としてオペレータの指定したプログラマブルキーに割り当てて登録するようにしても良い。この場合オペレータは登録したプログラマブルキーを押圧操作することにより、当該選択した複数の下位の機能を順次実行することができるようにする。
【００４１】
さらに上述の実施例においては、第１のメニユー選択設定スイツチ３Ｂを５個のフアンクシヨンキーで設定し、また第２のメニユー選択設定スイツチ３Ｃを１０個のフアンクシヨンキーで設定し、さらにユーテイリテイスイツチ４Ａを１０個のプログラマブルキーで設定した場合について述べたが、本発明はこれに限らず、これらのフアンクシヨンキー及びプログラマブルキーの個数はいくつに設定しても本発明を適用し得る。
【００４２】
さらに上述の実施例においては、本発明を編集機能を有するスイツチヤコントロールパネルに適用した場合について述べたが、本発明はこれに限らず、オーデイオテープレコーダや光デイスク装置等の記録再生装置に広く適用でき、さらに記録再生装置に限らず、他の電子機器を制御する操作パネルとしての制御装置に広く適用して好適なものである。
【００４３】
【発明の効果】
上述のように本発明によれば、複数の第１の操作キーと、当該複数の第１の操作キーに応じた制御設定情報の下位階層に属する制御設定情報を選択設定する複数の第２の操作キーと、第１及び又は第２の操作キーに応じた制御設定情報を表示する表示手段とが操作パネル上に配され、第１の操作キーの操作及び続く第２の操作キーの操作により所定の電子機器の制御設定を切り換える操作制御装置において、操作パネルに複数の第３の操作キーが配され、第２の操作キーが押圧状態にされたまま複数の第３の操作キーのうち指定された第３の操作キーが押圧操作されることにより、第２の操作キーに応じた制御設定情報を複数の第３の操作キーのうち指定された第３のキーに割り当てて登録すると共に、当該登録した制御設定情報を当該指定された第３の操作キーの操作に基づいて実行し、又は表示手段に表示するようにしたことにより、オペレータは第３の操作キーのみを操作するだけで所望の制御設定情報の実行又は表示をさせることができ、かくしてオペレータが誤認することなく確実に操作し得ると共に、入力操作に要する時間を格段と短縮し得る操作制御装置を実現することができる。
【図面の簡単な説明】
【図１】本発明によるスイツチヤコントロールパネルの全体構成を示す平面図である。
【図２】メニユー操作ブロツクの構成を示す平面図である。
【図３】本発明における階層的な選択設定の表示の説明に供する樹状図である。
【図４】シヨツトボツクスブロツクの構成を示す平面図である。
【図５】本発明による操作制御装置の一実施例を示すブロツク図である。
【図６】本発明による処理手順を示すフローチヤートである。
【図７】本発明による処理手順を示すフローチヤートである。
【符号の説明】
１……スイツチヤコントロールパネル、２……トツプメニユーブロツク、２Ａ……トツプメニユーキー、３……メニユー操作ブロツク、３Ａ……メニユー表示画面、３Ｂ……第１のメニユー選択設定スイツチ、３Ｃ……第２のメニユー選択設定スイツチ、４……シヨツトボツクスブロツク、４Ａ……ユーテイリテイスイツチ、Ｋ１６〜Ｋ２５……プログラマブルキー。
【図１】
0003765319.tif 000002
【図２】
0003765319.tif 000003
【図４】
0003765319.tif 000004
【図３】
0003765319.tif 000005
【図５】
0003765319.tif 000006
【図６】
0003765319.tif 000007
【図７】
0003765319.tif 000008